(57)【要約】【課題】  宣伝効果の高いディスプレイ装置を提供する。【解決手段】  ディスプレイ装置１は、上面に広告等を表示することができる大円盤２と、その下方にある小円盤３、両円盤２、３間を連結固定する複数のスタッド４、両円盤２、３の中心部を上下方向に貫通して延びる筒状をなし、内部に照明器７が配設された照明部５、該照明部５に被さるようにしてある傘部６、景品獲得ゲーム機と接続する連結筒１１とを有する。大円盤２の上面にお菓子やおもちゃ等の広告を配置し、照明で照らしながら、一体となって回転することによって、ゲーム機で遊ぶ人やゲーム機のそばを通る人等に注目をさせることができ、従来よりも高い宣伝効果が得られる。【選択図】図２
2006129992.tif 000002
【特許請求の範囲】
【請求項１】
内部に景品が設けられ、作動させる機械の内容に応じて景品を取出して獲得できるようにした景品獲得ゲーム機であって、該ゲーム機は、半球状のドーム内部の下部に配設されて、駆動源で作用して景品を取出すための取出し装置と、上部に配設されて、水平方向に回転するとともに上面に広告等を表示するディスプレイ装置とを備え、前記ディスプレイ装置は中心部に上下方向を向く筒状をなすとともに、内部に照明器が配設された照明部と、該照明部の上部に配設された円盤状の表示部と、該照明部の上部先端に被さるようにしてある傘部とを備え、前記照明部、表示部、傘部が前記駆動源によって一体に回転することを特徴とする景品獲得ゲーム機におけるディスプレイ装置。
【請求項２】
前記ディスプレイ装置は、照明部の上部に設けられる小円盤と、この小円盤の上方に位置する大円盤とを備え、両円盤間は複数のスタッドで連結固定されている請求項１記載の景品獲得ゲーム機におけるディスプレイ装置。
【発明の詳細な説明】
【技術分野】
【０００１】
本発明は、景品獲得ゲーム機におけるディスプレイ装置に関する。
【背景技術】
【０００２】
例えば、景品獲得ゲーム機とは、ボタン操作にてクレーンを動かし、小さいお菓子やおもちゃ等の景品をすくい、固定されたテーブルに落下させ、水平方向に出没作動する移動テーブルにて景品を押し、景品取出し口に落とすことで景品を獲得することができるゲーム機械である（例えば、特許文献１参照。）。
【特許文献１】特開２００３−１４４７４０号公報
【発明の開示】
【発明が解決しようとする課題】
【０００３】
従来から、上記の景品獲得ゲーム機の本体及び内部には、ゲーム性を高め、楽しめるような機能の装置等が備えられているものはあったが、広告等を表示するような装置が配設されていなかった。
【０００４】
本発明は、上記のような従来の問題を解決したものであって、景品獲得ゲーム機に広告等を表示することができる装置を配設することで、広告等を通じてより効果的な宣伝効果を与えることを目的とするものである。
【課題を解決するための手段】
【０００５】
上記のような課題を解決するために、本発明の請求項１に係る景品獲得ゲーム機におけるディスプレイ装置は、内部に景品が設けられ、作動させる機械の内容に応じて景品を取出して獲得できるようにした景品獲得ゲーム機であって、該ゲーム機は半球状のドームの内部の下部に配設されて、駆動源で作動して景品を取出すための取出し装置と、上部に配設されて、水平方向に回転するとともに上面に広告等を表示することができるディスプレイ装置を備え、ディスプレイ装置の中心部にある筒状の部分の内部に照明器が配設された照明部と、該照明部の上部に配設される円盤状の表示部と、該照明部の上部先端に被さるようにしてある傘部とを備え、前記照明部、表示部、傘部とが前記駆動源によって一体に回転することを特徴としたものを採用している。
【０００６】
また、本発明の請求項２に係る景品獲得ゲーム機におけるディスプレイ装置は、請求項１に記載の景品獲得ゲーム機におけるディスプレイ装置であって、前記照明部の上部に設けられる小円盤と、この小円盤の上方に位置する大円盤とを備え、両円盤間は複数のスタッドにて連結固定されているものを採用している。
【発明の効果】
【０００７】
本発明の、景品獲得ゲーム機におけるディスプレイ装置は、該景品獲得ゲーム機本体の半球状のドーム内部の上部に広告等を表示するディスプレイ装置を配設しているため、その上面にお菓子やおもちゃ等の景品を配置したり、広告等を表示することにより、ゲーム機で遊ぶ人やゲーム機のそばを通る人等にも注目をさせることができる。よって従来の景品獲得ゲーム機よりも宣伝効果が高いといえる。
【発明を実施するための最良の形態】
【０００８】
以下、図面に示す本発明の実施の形態について説明する。
図１〜図５には本発明であるディスプレイ装置の実施の形態が示されており、図１はディスプレイ装置の平面図、図２はディスプレイ装置の正面図、図３はディスプレイ装置を構成する部品に分解した斜視図、図４は景品獲得ゲーム機の半球状のドーム内部に配設されたディスプレイ装置の全体図、図５は景品獲得ゲーム機全体を示す全体図である。
【０００９】
この実施の形態に示すディスプレイ装置１は図１〜図４で示すように、上面に広告等を表示することができる大円盤２とその下方にある小円盤３、そして両円盤２、３間を連結固定する複数のスタッド４、両円盤２、３の中心部を上下方向に貫通して延びる筒状の照明部５、該照明部５に被さるようにしてあるキャップ状の傘部６、景品獲得ゲーム機１０の基台１２と接続する連結筒１１とを有し、これらの部材から構成されている。
【００１０】
前記景品獲得ゲーム機１０は図５で示すように、景品取出し装置１８、半球状のドーム８、ディスプレイ装置１から構成されている。
【００１１】
例えば、前記景品取出し装置１８は、ディスプレイ装置１と接続される基台１２、該基台１２に配設されている固定テーブル１４、該固定テーブル１４の上面に配設され、水平方向に出没作動する移動テーブル１３、景品を載せて回転運動をするターンテーブル９、景品をすくうクレーン１５、該クレーン１５の操作ボタン１６、景品取出し口１７とで構成される。
【００１２】
前記景品取出し装置１８は、操作ボタン１６を押すことでクレーン１５を作動させ、回転運動するターンテーブル９に載った景品をすくい、この景品を固定テーブル１４に落下させ、該固定テーブル１４の上面を水平方向に出没作動する移動テーブル１３によって押して、景品取出し口１７につながる穴へと景品を滑り落とすことで、該景品取出し口１７から景品を取出すことができる。
【００１３】
前記ドーム８は、景品取出し装置１８の上部及びこの上部に位置するディスプレイ装置１を覆うようにして配設されている半球状のものである。該ドーム８は透明性を有して、ターンテーブル９に載って回転している景品や、ディスプレイ装置１に配置又は表示される広告等が明瞭に視認できるようなものが好ましい。
【００１４】
前記ディスプレイ装置１の大円盤２及び小円盤３は、所定の厚みを有した円盤状をなし、該大円盤２の中心部には照明部５を通すための穴が設けられている。小円盤３の中心部には大円盤２の中心部に設けられている穴の径よりも小さな穴が設けられており、前記の穴を閉塞した状態で連結筒１１が下方に延びていて、該連結筒１１の下部は景品取出し装置１８の基台１２に接続される。
【００１５】
大円盤２の上面には広告等の表示が可能であるが、該大円盤２の材質等の制限は特にないので、表示する広告等に合わせた素材を選択することもできる。例えば、アクリル等の透明の素材にすることも可能である。但し、おもちゃ等の重さのあるものを配置する場合等に、その荷重に耐えられるような、ある程度の剛性を有するものを選択する必要がある。
【００１６】
前記大円盤２は平面状をなしていて、様々な形で広告等を表示させる事が可能であり、単に平面で広告を表示させることもできるし、ドーム８とディスプレイ装置１の大円盤２との間にある空間の高さの制限内ならば、立体的な広告や、おもちゃ等を表示又は配置することができる。さらに、照明部５に被さるようにしてある傘部６にも広告等の表示をすることができる。このように様々な広告等の表示又は設置の方法が考えられるため、幅広い方向での認識及び、幅広い範囲の世代に対応することが可能である。
【００１７】
前記ディスプレイ装置１は、全体が一体となって水平方向に回転運動するものであるが、該ディスプレイ装置１を回転運動させるためには、例えば、景品取出し装置１８のターンテーブル９を作動させている駆動源（図示せず）から、ベルト等（図示せず）によって動力を伝達し、ディスプレイ装置１の連結筒１１を回転運動させることで可能となる。
【００１８】
前記ディスプレイ装置１は、例えば誰もゲームで遊んでいない場合、該ディスプレイ装置１を静止させておくよりも、回転していた方が動きによる注目度は上がり広告等の効果は高まるので、常に回転運動を継続しておくことが好ましい。
【００１９】
両円盤２、３の間に連結固定されている複数のスタッド４は、大円盤２を支持するものであるが、大円盤２が広告等の荷重に対してある程度の剛性を有する必要があるのと同様に、スタッド４も大円盤２の荷重を変形等せずに、支持できるだけの剛性を有することが必要である。
【００２０】
両円盤２、３の中心部を貫通する照明部５の内部は空洞になっており、内部には下方から照明器７が立ち上がる形で配設されており、該照明器７によって大円盤２の上面に表示された広告等を照らすことができる。
【００２１】
前記照明部５は材質、色等の制限はないので、様々な素材を選択できる。但し、該照明部５の内部には照明器７が配設されるため、照明器７の熱による影響を受けて変形等をしないように、ある程度の耐熱性の有するものを選択しなければならない。
【００２２】
また、前記照明器７は、様々な色及び明るさのものを使用することによって、広告等の雰囲気に合わせることができるため、広告等をより効果的に演出することができる。
【００２３】
なお、前記照明器７を点灯させる方法として、例えば、景品取出し装置１８の内部の電源部（図示せず）と接続することで可能となる。
【００２４】
前記傘部６の閉塞された底面には、照明部５の上部を受け入れるような円柱状の窪みが設けられ、該傘部６が照明部５の上部に被さるようにして配設される。
【図面の簡単な説明】
【００２５】
【図１】本発明におけるディスプレイ装置の平面図である。
【図２】本発明におけるディスプレイ装置の正面図である。
【図３】ディスプレイ装置を構成する部品に分解した斜視図である。
【図４】景品獲得ゲーム機本体の半球状ドーム内に配設されたディスプレイ装置の全体図である。
【図５】景品獲得ゲーム機全体を示した全体図である。
【符号の説明】
【００２６】
１  ディスプレイ装置
２  大円盤
３  小円盤
４  スタッド
５  照明部
６  傘部
７  照明器
８  ドーム
９  ターンテーブル
１０  景品獲得ゲーム機
１１  連結筒
１２  基台
１３  移動テーブル
１４  固定テーブル
１５  クレーン
１６  操作ボタン
１７  景品取出し口
１８  景品取出し装置
【図１】
2006129992.tif 000003
【図２】
2006129992.tif 000004
【図３】
2006129992.tif 000005
【図４】
2006129992.tif 000006
【図５】
2006129992.tif 000007